(57)【要約】【課題】簡単な構成を有するとともに、強固な保持力で切妻屋根型容器の天板に取り付けることが可能な付属容器を提供する。【解決手段】切妻屋根型容器１００の前後に配された傾斜屋根部２１、２３の少なくとも一方２３に取り付けられる付属容器２００において、傾斜屋根部２３に接触するとともに収容物を内部に収容する箱体４と、箱体４に連設されて傾斜屋根部２３の左右両端それぞれの裏側に嵌めこまれる複数の係止片４５と、を備えている。【選択図】図３
2020132180.tif 000002
【特許請求の範囲】
【請求項１】
切妻屋根型容器の前後に配された傾斜屋根部の少なくとも一方に取り付けられる付属容器において、
前記傾斜屋根部に接触するとともに収容物を内部に収容する箱体と、
前記箱体に連設されて前記傾斜屋根部の左右両端から裏側に嵌めこまれる複数の係止片と、を備えている付属容器。
【請求項２】
前記箱体は、前記傾斜屋根部と接触して配置される接触板を備え、
複数の前記係止片は、それぞれ前記接触板の左右両端に連設されている請求項１に記載の付属容器。
【請求項３】
前記接触板には、前記傾斜屋根部に設けられた注ぎ口が挿入される挿入口をさらに備える請求項２に記載の付属容器。
【請求項４】
前記傾斜屋根部は長方形状であり、前記傾斜屋根部の裏側には、水平方向に左右に延びる頂部谷線部と、前記傾斜屋根部の上端の左右方向中央部分から下側の頂点に延びる傾斜谷線部とが形成されており、
前記係止片は、前記頂部谷線部と重なる第１辺と、前記傾斜谷線部と重なる第２辺とを備える請求項１から請求項３のいずれかに記載の付属容器。
【請求項５】
前記第２辺の長さは、前記傾斜谷線部の長さよりも短く、
前記第２辺の下端は、前記傾斜谷線部の下端よりも上方に位置する請求項４に記載の付属容器。
【請求項６】
複数の前記係止片の少なくとも１つには、取外部が設けられている請求項１から請求項５のいずれかに記載の付属容器。
【請求項７】
前記取外部は、前記係止片に設けられて指を係合できる引掛部である請求項６に記載の付属容器。
【請求項８】
前記取外部は、一端が前記係止片に接続して他端が自由端である舌状片を有する請求項６または請求項７に記載の付属容器。
【請求項９】
請求項１から請求項８のいずれかに記載の付属容器と、
前記付属容器が取り付けられる前記切妻屋根型容器と、を組み合わせた収納容器であって、
前記切妻屋根型容器に取り付けられた前記付属容器が、平面視において前記切妻屋根型容器の投影面内部に収まる収納容器。
【発明の詳細な説明】
【技術分野】
【０００１】
本発明は、切妻屋根型容器に取り付けられる付属容器および切妻屋根型容器に付属容器を取り付けた収納容器に関する。
【背景技術】
【０００２】
特許第５４７２７１４号公報に記載の切妻屋根型容器の傾斜屋根部に取り付ける附属容器は、横長長方形の天面板と、天面板と連設された端部側面板と、端部側面板と連設された底面板と、底面板と連設された中央部側面板とが筒状に形成されている。そして、筒状の長手方向の両端は、直角台形の側面板で覆われている。さらに、天面板と連設されるとともに、中央部側面板と対向する挟持部側面板と、挟持部側面板と連設されるとともに中央部側面板と挟持部側面板の間に配置されるばね側面板とを備える。
【０００３】
附属容器は、中央部側面板と挟持部側面板との間の隙間に切妻屋根型容器のトップシール部を挿入させるとともに、底面板を切妻屋根型容器の天板に接触させることで、切妻屋根型容器の上部に取り付けられる。付属容器は、ばね側面部がトップシール部を押えることで、接着等の固定方法を用いることなく一定の繋止力で切妻屋根型容器の天板に取り付けられる。
【先行技術文献】
【特許文献】
【０００４】
【特許文献１】特許第５４７２７１４号公報
【発明の概要】
【発明が解決しようとする課題】
【０００５】
特許第５４７２７１４号公報に記載の附属容器は、下方に開口した隙間に鉛直に延びるトップシール部を挿入するだけである。そのため、付属容器および（または）切妻屋根型容器に対して上方に向かう振動および（または）一定以上の力が作用すると、付属容器が切妻屋根型容器から離脱しやすい。
【０００６】
本発明は、簡単な構成を有するとともに、切妻屋根型容器の天板に離脱しにくい状態で取り付けられる付属容器を提供することを目的とする。
【０００７】
また、本発明は、切妻屋根型容器の天板に付属容器を取り付けた状態でも密接させて配列可能な収納容器を提供することを目的とする。
【課題を解決するための手段】
【０００８】
上記目的を達成するために本発明は、切妻屋根型容器の前後に配された傾斜屋根部の少なくとも一方に取り付けられる付属容器において、前記傾斜屋根部に接触するとともに収容物を内部に収容する箱体と、前記箱体に連設されて前記傾斜屋根部の左右両端から裏側に嵌めこまれる複数の係止片と、を備えていることを特徴としている。
【０００９】
上記構成において、前記箱体は、前記傾斜屋根部と接触して配置される接触板を備え、複数の前記係止片は、それぞれ前記接触板の左右両端に連設されていることを特徴としている。
【００１０】
上記構成において、前記接触板には、前記傾斜屋根部に設けられた注ぎ口が挿入される挿入口をさらに備えることを特徴としている。
【００１１】
上記構成において、前記傾斜屋根部は長方形状であり、前記傾斜屋根部の裏側には、水平方向に左右に延びる頂部谷線部と、前記傾斜屋根部の上端の左右方向中央部分から下側の頂点に延びる傾斜谷線部とが形成されており、前記係止片は、前記頂部谷線部と重なる第１辺と、前記傾斜谷線部と重なる第２辺とを備えることを特徴としている。
【００１２】
上記構成の付属容器において、前記第２辺の長さは、前記傾斜谷線部の長さよりも短く、前記第２辺の下端は、前記傾斜谷線部の下端よりも上方に位置することを特徴としている。
【００１３】
上記構成において、複数の前記係止片の少なくとも１つには、取外部が設けられていることを特徴としている。
【００１４】
上記構成において、前記取外部は、前記係止片に設けられて指を係合できる引掛部であることを特徴としている。
【００１５】
上記構成において、前記取外部は、一端が前記係止片に接続して他端が自由端である舌状片を有することを特徴としている。
【００１６】
上記構成のいずれかに記載の付属容器と、前記付属容器が取り付けられる前記切妻屋根型容器と、を組み合わせた収納容器であって、前記切妻屋根型容器に取り付けられた前記付属容器が、平面視において前記切妻屋根型容器の投影面内部に収まることをとくちょうとしている。
【発明の効果】
【００１７】
本発明の付属容器によると、簡単な構成を有するとともに、切妻屋根型容器の天板に離脱しにくい状態で取り付けることができる。
【００１８】
また、本発明の収納容器によると、切妻屋根型容器の天板に付属容器を取り付けた状態でも密接させて配列することができる。
【図面の簡単な説明】
【００１９】
【図１】付属容器および切妻屋根型容器を含む収納容器の前上方から見た斜視図である。
【図２】付属容器および切妻屋根型容器を含む収納容器の後上方から見た斜視図である。
【図３】切妻屋根型容器から付属容器を取り外した状態の前上方から見た斜視図である。
【図４】切妻屋根型容器を展開したブランク板を示す図である。
【図５】底部の組み立てを行っている状態を示す底面図である。
【図６】底部を組み立てた状態の底面図である。
【図７】傾斜屋根部を組み立てる前のブランク板の一部を示す斜視図である。
【図８】傾斜屋根部を組み立てている途中の状態の傾斜屋根部の一部を示す斜視図である。
【図９】付属容器の前上方から見た斜視図である。
【図１０】付属容器の後上方から見た斜視図である。
【図１１】付属容器を展開したブランク板を示す図である。
【図１２】ブランク板の側蓋板を折曲した状態を示す斜視図である。
【図１３】ブランク板の前対向板を折曲した状態を示す斜視図である。
【図１４】前傾斜天板部に付属容器に取り付けた状態を後上方から見た斜視図である。
【図１５】前傾斜天板部を裏側から見た状態を示す概略図である。
【図１６】前後方向に配列された収納容器の概略配置を示す図である。
【図１７】本実施形態の変形例の収納容器の切妻屋根型容器と付属容器とを分離した状態を示す斜視図である。
【図１８】図１７に示す付属容器の後上方から見た斜視図である。
【図１９】本実施形態の他の変形例の付属容器の斜視図である。
【発明を実施するための形態】
【００２０】
以下に図面を参照して本発明の実施形態を説明する。図１は、付属容器および切妻屋根型容器を含む収納容器の前上方から見た斜視図である。図２は、付属容器および切妻屋根型容器を含む収納容器の後上方から見た斜視図である。図３は、切妻屋根型容器から付属容器を取り外した状態の前上方から見た斜視図である。なお、本実施形態において、収納容器の方向を示す「前」、「後」、「上」、「下」、「右」、「左」は、図１に示す収納容器を基準とする。
【００２１】
以下の説明において、長方形状とは、厳密な長方形に加えて、角部が丸められていたり、辺の一部に小さな段差を有するものも含むものとする。台形状についても同様に、角部が丸められていたり、上底と下底とが厳密に平行でないものも含むものとする。
【００２２】
（１．  収納容器Ａについて）
図１および図２に示すように、収納容器Ａは、切妻屋根型容器１００と、付属容器２００とを備える。付属容器２００は、切妻屋根型容器１００の後述する傾斜屋根部２の上面に着脱可能な状態で取り付けられる。
【００２３】
切妻屋根型容器１００は、菓子（チョコレート、クッキー等）、菓子の材料、袋入りの粉末飲料（コーヒー、ココア、紅茶等）等の樹脂フィルム等により個包装された内容物が収納される。付属容器２００は、切妻屋根型容器１００に収納された内容物に関連したものが収納される。
【００２４】
例えば、切妻屋根型容器１００に、菓子類が収納されている場合、付属容器２００に収納される収納物として、収納されている菓子に関連したもの（バッヂ、カード、ステッカー等）を挙げることができる。また、切妻屋根型容器１００に、菓子の材料が収納されている場合、付属容器２００に収納される収納物として、袋入りのクリーム、ソース等、作製された菓子に添えるトッピングを挙げることができる。さらに、切妻屋根型容器１００に粉末飲料が収納されている場合、付属容器２００に収納される収納物として、袋入りの粉末ミルク、砂糖等、飲料に追加して投入して飲料の調味を行うものを挙げることができる。また、これら以外のものが収納されてもよい。以下に、切妻屋根型容器１００および付属容器２００の詳細について説明する。
【００２５】
（２．  切妻屋根型容器１００について）
まず、切妻屋根型容器１００の詳細について図面を参照して説明する。図１〜図３に示すように、切妻屋根型容器１００は、胴部１と、傾斜屋根部２と、底部３とを備える。切妻屋根型容器１００は、例えば、紙製のブランク板Ｐｇ（後述の図４参照）を箱型に折曲して形成される。より詳しくは、ブランク板Ｐｇを筒状に貼り合せて筒状体を形成し、筒状体の上端および下端を折曲して、胴部１、傾斜屋根部２および底部３を形成する。次に、切妻屋根型容器１００の各部について図面を参照して詳細に説明する。
【００２６】
（２．１  胴部１について）
胴部１は、水平断面が矩形（ここでは、正方形）の筒状である。胴部１は、背面板１１、左側面板１２、前面板１３および右側面板１４を備える。胴部１において、背面板１１と前面板１３とは、前後に対向する。左側面板１２および右側面板１４は、左右に対向して配置されて背面板１１および前面板１３とを連結する。胴部１の上端部は、傾斜屋根部２によって塞がれる。また、胴部１の下端部は、底部３によって塞がれる。
【００２７】
（２．２  傾斜屋根部２について）
図１、図２に示すように、傾斜屋根部２は、傾斜して対向する後傾斜天板部２１および前傾斜天板部２３と、後傾斜天板部２１および前傾斜天板部２３の間に配置されるとともに内側に折り込まれて左右に対向する左側面天板部２２および右側面天板部２４と、後傾斜天板部２１の上端部に配されて上方に延びる頂部２５と、を備える。
【００２８】
後傾斜天板部２１は、背面板１１の上端に連設され前方に傾斜する。前傾斜天板部２３は、背面板１１の上端に連設され後方に傾斜する。また、左側面天板部２２および右側面天板部２４は、それぞれ、左側面板１２および右側面板１４の上端に連結された二等辺三角形状である。そして、左側面天板部２２および右側面天板部２４は、内側に向かって傾斜するとともに、前傾斜天板部２３と後傾斜天板部２１との間に配置される。傾斜屋根部２の詳細については後述する。
【００２９】
（２．３  底部３について）
後述の図４および図６に示すように、底部３は、後底壁板部３１と、前底壁板部３３と、左底壁板部３２と、右底壁板部３４とを備える。後底壁板部３１は背面板１１の下端部に連結され、前底壁板部３３は前面板１３の下端部に連結される。また、左底壁板部３２は左側面板１２の下端部に連結され、右底壁板部３４は右側面板１４の下端部に連結される。底部３は、後底壁板部３１と左底壁板部３２とを接着し、前底壁板部３３と右底壁板部３４とを接着した後、組み合わせることで形成される。底部３の詳細については、後述する。
【００３０】
（２．４  ブランク板Ｐｇについて）
ここで、ブランク板Ｐｇについて説明する。図４は、切妻屋根型容器１００を展開したブランク板Ｐｇを示す図である。図４に示すように、ブランク板Ｐｇの所定位置には、折り線９０が設けられる。なお、図４において、折り線９０は一点鎖線で示される。そして、以下の説明で用いる各図において、折り曲げる前の折り線９０は一点鎖線で示し、折り曲げ後の折り線９０は実線で示す。
【００３１】
そして、ブランク板Ｐｇの切妻屋根型容器１００を構成する各部は、折り線９０を介して連結される。ブランク板Ｐｇでは、背面板１１、左側面板１２、前面板１３および右側面板１４が一方向（図４において左から右）に順に連設される。また、背面板１１の左隣には、糊代片１５が連設される。背面板１１、左側面板１２、前面板１３および右側面板１４は、いずれも上下方向に長い長方形状である。
【００３２】
図４に示すように、背面板１１の上端には後傾斜天板部２１が連結され、下端には後底壁板部３１が連設される。後傾斜天板部２１は、長方形状であり、一辺が背面板１１と連結される。そして、背面板１１と連結する辺と平行な辺に、下側から順に、第１頂片２５１、第２頂片２５２および頂部固定片２５３が連設される。第１頂片２５１、第２頂片２５２および頂部固定片２５３は、折り曲げるともに、接着することで頂部２５を構成する。
【００３３】
後底壁板部３１は、後底壁片３１１と、後底壁固定片３１２とを備える。図４に示すように、後底壁片３１１は、背面板１１の下辺と連結された下底と、下底よりも下側に配置されて下底よりも短い上底を備える台形状である。後底壁片３１１の上底および下底と隣り合う斜辺３１４には、後底壁固定片３１２が連結される。また、斜辺３１４と後底壁固定片３１２との連結部の背面板１１よりも遠い端部に、後切欠き部３１３が形成される。
【００３４】
また、図４に示すように、左側面板１２の上端には左側面天板部２２が連結され、下端には左底壁板部３２が連設される。上述のとおり、左側面天板部２２は二等辺三角形状であり、他の２辺と長さが異なる一辺（底辺）が左側面板１２と連結される。そして、一対の斜辺は、傾斜谷線部２７であり、傾斜谷線部２７の各々を介して、一対の左三角折り返し部２２１が連設される。
【００３５】
左三角折り返し部２２１は直角三角形状であり、一方の左三角折り返し部２２１は後傾斜天板部２１と連設される。また、他方の左三角折り返し部２２１は後述する前傾斜天板部２３と連設される。また、各左三角折り返し部２２１の上端の辺は、頂部谷線部２８である。そして、傾斜谷線部２７と頂部谷線部２８とがなす角は、角度θである。
【００３６】
図４に示すように、左底壁板部３２は、左側面板１２の下辺と連結された下底と、下底よりも下側に配置されて下底よりも短い上底を備える台形状である。左底壁板部３２の一方の斜辺３２１は、後底壁板部３１側に設けられる。
【００３７】
さらに、図４に示すように、前面板１３の上端には前傾斜天板部２３が連結され、下端には前底壁板部３３が連設される。前傾斜天板部２３は、長方形状であり、一辺が前面板１３と連結される。そして、前面板１３と連結する辺と平行な辺に、差込片２６が連設される。差込片２６は、上方に向かうにつれ細くなる台形状である。
【００３８】
前底壁板部３３は、前底壁片３３１と、前底壁固定片３３２とを備える。図４に示すように、前底壁片３３１は、前面板１３の下辺と連結された下底と、下底よりも下側に配置されて下底よりも短い上底を備える台形状である。前底壁片３３１の上底および下底と隣り合う斜辺３３４には、前底壁固定片３３２が連結される。また、斜辺３３４と前底壁固定片３３２との連結部の前面板１３よりも遠い端部には、前切欠き部３３３が形成される。
【００３９】
また、図４に示すように、右側面板１４の上端には右側面天板部２４が連結され、下端には右底壁板部３４が連設される。上述のとおり、右側面天板部２４は二等辺三角形状であり、他の２辺と長さが異なる一辺（底辺）が右側面板１４と連結される。そして、一対の斜辺は、傾斜谷線部２７であり、傾斜谷線部２７の各々を介して、一対の右三角折り返し部２４１が連設される。
【００４０】
右三角折り返し部２４１は直角三角形状であり、一方の右三角折り返し部２４１は前傾斜天板部２３と連設される。また、他方の右三角折り返し部２４１はブランク板Ｐｇの右端に配置される。そして、右左三角折り返し部２４１の上端の辺は、頂部谷線部２８である。そして、傾斜谷線部２７と頂部谷線部２８とがなす角は、角度θである。
【００４１】
右底壁板部３４は、右側面板１４の下辺と連結された下底と、下底よりも下側に配置されて下底よりも短い上底を備える台形状である。右底壁板部３４の一方の斜辺３４１は、前底壁板部３３側に設けられる。
【００４２】
また、糊代片１５の上端には第２糊代片１５１が連設される。
【００４３】
次に、ブランク板Ｐｇからの切妻屋根型容器１００の組み立てについて説明する。まず、後底壁固定片３１２が後底壁片３１１の外面に重なるように、後底壁板部３１を斜辺３１４で折曲する。そして、このように折り曲げた後底壁板部３１を背面板１１の裏面側に折曲する。また、左底壁板部３２を左側面板１２の裏面側に折り曲げる。前底壁固定片３３２が前底壁片３３１の外面に重なるように、前底壁板部３３を斜辺３３４で折曲する。そして、このように折り曲げた前底壁板部３３を前面板１３の裏面側に折曲する。また、右底壁板部３４を右側面板１４の裏面側に折り曲げる。
【００４４】
そして、糊代片１５、第２糊代片１５１の外面を、右側面板１４、右側面天板部２４と連設された右三角折り返し部２４１の内面に貼着する。これにより、ブランク板Ｐｇは、筒状に形成される。
【００４５】
次に、底部３の組み立てについて説明する。図５は、底部３の組み立てを行っている状態を示す底面図である。図６は、底部３を組み立てた状態の底面図である。図５に示すように、筒状に貼り合せたブランク板Ｐｇを背面板１１と左側面板１２とがなす角が鋭角で、前面板１３と右側面板１４とがなす角が鋭角のひし形断面形状となるように変形させる。
【００４６】
そして、後底壁板部３１の斜辺３１４と左底壁板部３２の下底の後底壁板部３１側の角から延びる対角線３２２とを重ね、後底壁固定片３１２の内面を左底壁板部３２の外面に接着する。同様に、前底壁板部３３の斜辺３３４と右底壁板部３４の下底の前底壁板部３３側の角から延びる対角線３４２とを重ね、前底壁固定片３３２の内面を右底壁板部３４の外面に接着する。そして、ひし形断面の長い方の対角線が短くなるように筒状のブランク板Ｐｇを変形させる。
【００４７】
これにより、後底壁板部３１および左底壁板部３２は背面板１１および左側面板１２に引っ張られて、下側に変形する。同様に、前底壁板部３３および右底壁板部３４は前面板１３および右側面板１４に引っ張られて、下側に変形する。図６に示すように、後切欠き部３１３と前切欠き部３３３とが係合し、後底壁板部３１、左底壁板部３２、前底壁板部３３および右底壁板部３４が平板状に組み立てられ、底部３が構成される。
【００４８】
次に、傾斜屋根部２の組み立てについて説明する。図７は、傾斜屋根部２を組み立てる前のブランク板Ｐｇの一部を示す斜視図である。図８は、傾斜屋根部２を組み立てている途中の状態の傾斜屋根部２の一部を示す斜視図である。図７に示すように、底部３を組み立てた状態のブランク板Ｐｇにおいて、第１頂片２５１と第２頂片２５２の内面同士を接着剤で貼り合せる。さらに、頂部固定片２５３を後傾斜天板部２１の内面に接着剤で接着する。これにより、頂部２５を形成する。
【００４９】
そして、図７に示す状態から、底部３を組み立てた状態のブランク板Ｐｇの上端部分を、後傾斜天板部２１、前傾斜天板部２３を互いに接近する方向に折り曲げる。また、左側面天板部２２および右側面天板部２４も同様に互いに接近する方向に折り曲げる。このとき、一対の左三角折り返し部２２１の頂部谷線部２８を合せるように傾斜谷線部２７を折曲する。
【００５０】
また、一対の右三角折り返し部２４１の頂部谷線部２８を合せるように傾斜谷線部２７を折曲する。これにより、一方の左三角折り返し部２２１および右三角折り返し部２４１が後傾斜天板部２１に接近し、他方の左三角折り返し部２２１および右三角折り返し部２４１が前傾斜天板部２３に接近する（図８参照）。
【００５１】
そして、後傾斜天板部２１、前傾斜天板部２３、左側面天板部２２および右側面天板部２４をさらに折曲することで、後傾斜天板部２１、前傾斜天板部２３の上端同士が接触する。これと同時に、頂部谷線部２８が後傾斜天板部２１、前傾斜天板部２３と接触する。そして、前傾斜天板部２３の上端に連設された差込片２６を、後傾斜天板部２１と左三角折り返し部２２１および右三角折り返し部２４１との隙間に差し込み、傾斜屋根部２を完成させる。
【００５２】
（３．  付属容器２００について）
次に、付属容器２００について図面を参照して説明する。図９は、付属容器２００の前上方から見た斜視図である。図１０は、付属容器２００の後上方から見た斜視図である。図１１は、付属容器２００を展開したブランク板Ｐｈを示す図である。図１１において、ブランク板Ｐｈの辺縁部分または切断する線は実線で示し、折曲される折り線Ｌ１〜Ｌ７は一点鎖線で示す。また、以下、図９、図１０位示すように、切妻屋根型容器１００に取り付け可能な状態に組み立てられたものを付属容器２００とし、図１１のように展開された状態（組み立て前の状態）のものをブランク板Ｐｈとして説明する。
【００５３】
図１〜図３に示すように、付属容器２００は、切妻屋根型容器１００の傾斜屋根部２の前傾斜天板部２３に取り付けられる。図１、図２等に示すように、付属容器２００は、左右方向に延びる断面三角形の箱体４である。
【００５４】
図９〜図１１に示すように、付属容器２００は、接触板４１と、前対向板４２と、上対向板４３と、一対の側蓋板４４と、一対の係止片４５と、一対の保持片４６と、固定片４７と、把持片４８と、を備える。付属容器２００は、接触板４１と、前対向板４２と、上対向板４３と、一対の側蓋板４４と、一対の保持片４６と、固定片４７と、把持片４８とで構成される箱体４に、一対の係止片４５が取り付けられた構成である。
【００５５】
図１〜図３に示すように、付属容器２００を切妻屋根型容器１００に取り付けたとき、接触板４１は前傾斜天板部２３と接触する。図１０に示すように、接触板４１は、前傾斜天板部２３と略同じ大きさの長方形状である。図１１に示すように、ブランク板Ｐｈにおいて、接触板４１は、長辺が左右方向に延びるとともに上下に平行に配列された長方形状である。
【００５６】
接触板４１の上部には、左右に延びる直線状の固定切込み部４１１が備えられる（図１０、１１参照）。詳細は後述するが、固定切込み部４１１には、後述の固定舌部４８１が挿入される。また、ブランク板Ｐｈにおいて、接触板４１の左右に配置された短辺の一部は、折り線Ｌ４にて構成される。
【００５７】
図９、図１０に示すように付属容器２００において、前対向板４２は、接触板４１と前後対向するように接触板４１の前方に配置される。また、前対向板４２は、接触板４１の下端と連設される。図１１に示すようにブランク板Ｐｈにおいて、前対向板４２は、長方形状であり、上下に平行に配列された長辺を有する。前対向板４２は、接触板４１の下側の長辺を構成する折り線Ｌ１を介して、接触板４１に連設される。また、ブランク板Ｐｈにおいて、前対向板４２の下側の長辺が折り線Ｌ５にて構成され、左右に配置された短辺の一部が折り線Ｌ２にて構成される。
【００５８】
図９、図１０に示すように付属容器２００において、上対向板４３は、接触板４１と上下に対向するように接触板４１の上方に配置される。そして、上対向板４３は、前対向板４２と連設される。図１１に示すようにブランク板Ｐｈにおいて、上対向板４３は、長方形状であり、上下に平行に配列された長辺を有する。また、ブランク板Ｐｈにおいて、上対向板４３は、前対向板４２の下側の長辺を構成する折り線Ｌ５を介して連設される。また、ブランク板Ｐｈにおいて、上対向板４３の下側の長辺が折り線Ｌ６にて構成される。
【００５９】
図９、図１０に示すように、付属容器２００において、接触板４１、前対向板４２および上対向板４３が、所定の位置に配置されることで、左右両端に開口を有する断面三角形状の筒状になる。そして、側蓋板４４は、筒状の左右両端の開口を一部を残して塞ぐ台形状である。
【００６０】
詳しく説明すると、側蓋板４４は、折り線Ｌ１側に隙間が形成されるように台形状に形成される。このように、形成することで、接触板４１と前対向板４２との折り返し部分で紙の重なりを少なくすることができ、付属容器２００の組み立てが容易になる。なお、接触板４１と前対向板４２との角度が大きい場合、側蓋板４４は、接触板４１、前対向板４２および上対向板４３各々の短辺の長さと同じ辺を有する三角形状としてもよい。
【００６１】
図１１に示すようにブランク板Ｐｈにおいて、側蓋板４４の台形状の上底および下底と隣り合う斜辺の一方が折り線Ｌ２を介して前対向板４２と連設される。また、斜辺の他方は左右方向において前対向板４２よりも外側に配置され、折り線Ｌ３にて構成される。
【００６２】
図９、図１０に示すように付属容器２００において、保持片４６は、接触板４１の内面と接触して配置される。保持片４６は、側蓋板４４と連設される。図１１に示すようにブランク板Ｐｈにおいて、保持片４６は、上底の両端の角部が丸められた台形状であり、下底となる辺が折り線Ｌ３を介して側蓋板４４と連設される。
【００６３】
図９、図１０に示すように付属容器２００において、一対の係止片４５は、接触板４１の左右両端にそれぞれ連設される。図１１に示すようにブランク板Ｐｈにおいて、係止片４５は、台形状である。係止片４５の上底および下底と隣り合う斜辺の一方は折り線Ｌ４を介して接触板４１と連設される。さらに詳しく説明する。図９、図１０および図１１に示すように、係止片４５は、第１辺４５１と、第２辺４５２と、第３辺４５３とを備える。
【００６４】
第１辺４５１は、台形状の係止片４５の下底を構成する辺であり、接触板４１の上側の長辺の左右両端から左右方向外側に延びる。本実施形態において、第１辺４５１は、左右方向の外側に向かうにつれて接触板４１の上側の長辺の延長線から離れる。このように構成することで、詳細は後述するが、第１辺４５１と左三角折り返し部２２１および右三角折り返し部２４１との摩擦が低減される。これにより、係止片４５の切妻屋根型容器１００の前傾斜天板部２３の裏側への装着または裏側からの取外しが容易になる。
【００６５】
第３辺４５３は、台形状の係止片４５の下底と上下に並んで配置され下底よりも短い上底を構成する辺であり、接触板４１の短辺の下部に接続する。第３辺４５３の接触板４１と接続する部分は、接触板４１の短辺の下端よりも上側である。このようにすることで、第２辺４５２の長さは、傾斜谷線部２７よりも短くなる。
【００６６】
第２辺４５２は両端が、第１辺４５１および第３辺４５３各々と曲線を介して接続される。第１辺４５１と第２辺４５２とがなす角は角度γである。詳細は後述するが、第１辺４５１と第２辺４５２とがなす角の角度γは、傾斜谷線部２７と頂部谷線部２８とがなす角の角度θ（図４参照）と同じか、大きい。後述するように、係止片４５は、前傾斜天板部２３の裏側に挿入される。このとき、角度γを角度θと同じとすることで、係止片４５を前傾斜天板部２３の裏側に挿入したとき、第１辺４５１が頂部谷線部２８と重なる。これにより、係止片４５は、前傾斜天板部２３の裏側に強固に保持される。
【００６７】
一方で、組み立てられた状態の傾斜屋根部２では、頂部谷線部２８が配置される部分は、多くの紙が重なっており隙間が少ない。そのため、頂部谷線部２８および第１辺４５１の少なくとも一方に、寸法誤差が発生すると、係止片４５を着脱しにくくなることもある。そこで、本実施形態では、角度γを角度θよりも大きくしている。これにより、第１辺４５１と頂部谷線部２８との間に誤差を許容するための隙間を設けることができる。
【００６８】
このように構成することで、各部の形状および（または）寸法等にばらつきが発生したり、ブランク板Ｐｇ、Ｐｈの厚みの誤差が発生しても、係止片４５を前傾斜天板部２３への着脱が容易になる。なお、角度γと角度θの差は、各部が正確に形成された場合でも、係止片４５を前傾斜天板部２３の裏側に挿入することができるとともに、摩擦によって係止片４５が前傾斜天板部２３の裏側にとまり、意図的に取り外さない限り外れない程度の差である。
【００６９】
図９、図１０に示すように付属容器２００において、固定片４７は、上対向板４３に連設される。図１１に示すようにブランク板Ｐｈにおいて、固定片４７は、台形状である。固定片４７の下底を構成する辺は、折り線Ｌ６を介して、上対向板４３と連設される。固定片４７の下底と平行であるとともに下底よりも短い上底となる辺には、把持片４８が連設される。
【００７０】
固定片４７と把持片４８との境界部分は、左右両端から内側に延びる一対の折り線Ｌ７を備えるとともに、折り線Ｌ７の内側の端部から上方に向かって湾曲する切込み部４７１を備える。また、切込み部４７１は、貫通した切込みである。把持片４８の切込み部４７１と隣接する部分は、固定舌部４８１である。固定舌部４８１を固定切込み部４１１に挿入することで、固定片４７は、接触板４１に固定される。すなわち、把持片４８は、切込み部４７１およびその両端から延びる折り線Ｌ７を介して固定片４７の左右方向中間部分に連設される。
【００７１】
付属容器２００は、以上示した構成を有している。次に、付属容器２００の組み立ての手順について図面を参照して説明する。図１２は、ブランク板Ｐｈの側蓋板４４を折曲した状態を示す斜視図である。図１３は、ブランク板Ｐｈの前対向板４２を折曲した状態を示す斜視図である。
【００７２】
図１２参照に示すように、ブランク板Ｐｈを折り線Ｌ３で一対の保持片４６を側蓋板４４と直交するように内側に折曲する。さらに、折り線Ｌ２で一対の側蓋板４４を前対向板４２と直交するように内側に折曲する。これにより、一対の保持片４６は、前対向板４２と対向する。図１２に示すブランク板Ｐｈにおいて、折り線Ｌ１で前対向板４２を内側（上側）に折曲する。これにより、接触板４１と前対向板４２とは、下端部同士で連設される。
【００７３】
図１３に示すように、一対の保持片４６が接触板４１と接触する。これにより、接触板４１と前対向板４２とは、下端部同士が連結されるとともに、上部に向かうにつれて離れるとともに上端部同士が一定の間隔を有するように、側蓋板４４および保持片４６とで保持される。そして、接触板４１と、前対向板４２と、側蓋板４４とで、上部が開口し、下部に向かって細くなる楔形の収納部４０１が形成される。この状態で、上部の開口から収納部４０１に収納物を収納する。なお、保持片４６を、例えば、接触板４１、係止片４５等に接着固定してもよい。
【００７４】
次に、図１３に示すように、折り線Ｌ７で把持片４８を外側（前側）に折曲する。これにより、把持片４８は、固定片４７よりも外側に傾倒する。このとき、固定舌部４８１は把持片４８と一体であるため、固定舌部４８１は把持片４８と同期して移動する。固定舌部４８１は折り線Ｌ７を挟んで把持片４８と反対側に配置されているため、折り線Ｌ７で把持片４８を折曲したとき、固定舌部４８１は内側（後側）に移動する。
【００７５】
この状態で、折り線Ｌ５で上対向板４３を後側に折曲し、上対向板４３を、接触板４１および側蓋板４４と接触する。さらに、折り線Ｌ６で固定片４７を下側に折曲する。固定片４７は、接触板４１の外側に接触するように配置される。そして、固定舌部４８１を固定切込み部４１１に挿入し、折り線Ｌ７で把持片４８を接触板４１に接触するように折曲（折り戻し）する。これにより、固定片４７が、接触板４１の外面に接触した状態で固定され、上対向板４３によって、収納部４０１の上部開口が覆われる。これにより、付属容器２００の箱体４が組み立てられる。付属容器２００では、把持片４８を操作し、固定片４７を持ち上げることで上対向板４３が開き、内部の収納物にアクセスできる。なお、固定片４７を接触板４１に接着固定してもよい。
【００７６】
（４．  付属容器２００の切妻屋根型容器１００への取り付けについて）
次に付属容器２００の切妻屋根型容器１００への取り付けについて図面を参照して説明する。図１４は、前傾斜天板部２３に付属容器２００に取り付けた状態を後上方から見た斜視図である。図１５は、前傾斜天板部２３を裏側から見た状態を示す概略図である。なお、図１５は、前傾斜天板部２３の裏側における、左側面天板部２２、右側面天板部２４、左三角折り返し部２２１および右三角折り返し部２４１の配置を示す。
【００７７】
図１〜図３に示すように、付属容器２００は、切妻屋根型容器１００の傾斜屋根部２の前傾斜天板部２３の上面に取り付けられる。まず、付属容器２００の接触板４１の外面を、前傾斜天板部２３の上面に接触させる。そして、接触板４１を前傾斜天板部２３に接触させた状態で、一対の係止片４５を折り線Ｌ４で折曲する。
【００７８】
このように、係止片４５を前傾斜天板部２３の左右両端から後側に回して、前傾斜天板部２３の背面側に挿入する。このとき、係止片４５の第１辺４５１が頂部谷線部２８に略重なる。さらに説明すると、左側の係止片４５の第１辺４５１は、左三角折り返し部２２１の頂部谷線部２８に挟まれる。また、右側の係止片４５の第１辺４５１は、右三角折り返し部２４１の頂部谷線部２８に挟まれる。さらに、第２辺４５２が傾斜谷線部２７に重なる。このように、係止片４５は、左三角折り返し部２２１および右三角折り返し部２４１同士、左三角折り返し部２２１と左側面天板部２２および右三角折り返し部２４１と右側面天板部２４に挟まれて、強固に係止される。
【００７９】
これらにより、付属容器２００では、係止片４５が、前傾斜天板部２３の裏側を保持している。そのため、前傾斜天板部２３から離れる方向、例えば、上方、前方、左右方向等に引っ張られても、付属容器２００が、傾斜屋根部２から分離しにくい。そのため、搬送時、陳列時等において、収納容器Ａの切妻屋根型容器１００や付属容器２００に振動や力が作用した場合でも、付属容器２００が切妻屋根型容器１００から分離しにくく、付属容器２００が付属しない不具合が発生しにくい。
【００８０】
また、収納容器Ａにおいて、固定片４７および把持片４８が接触板４１と前傾斜天板部２３との間に配置される。そのため、付属容器２００が切妻屋根型容器１００の傾斜屋根部２に取り付けられているとき、固定片４７および把持片４８は、接触板４１から離れにくく、上対向板４３が開きにくい。これにより、収容物を確実に内部に収容することが可能である。
【００８１】
なお、傾斜屋根部２において、左側面天板部２２および右側面天板部２４の斜辺の下端部と前傾斜天板部２３との隙間は狭く係止片４５の着脱がやりにくい。そこで、係止片４５では、第２辺４５２の長さを傾斜谷線部２７の長さよりも短くし、第２辺４５２の下端が傾斜谷線部２７の下端よりも上方に位置するように形成している。係止片４５をこのように形成することで、係止片４５の左側面天板部２２および右側面天板部２４の斜辺の下端部と前傾斜天板部２３との隙間に配置される部分を省略することができる。これにより、係止片４５の前傾斜天板部２３の裏側への着脱が容易になる。
【００８２】
（５．  収納容器Ａの配列について）
上述したような収納容器Ａは、複数個まとめて搬送される。このとき、複数個の収納容器Ａは、段ボール箱等の搬送用の箱（不図示）に梱包された状態で搬送される。このとき、搬送用の箱の中では、収納容器Ａは、前後左右に配列される。以下に、複数の収納容器Ａの配列状態について図面を参照して説明する。図１６は、前後方向に配列された収納容器Ａの概略配置を示す図である。
【００８３】
収納容器Ａは、切妻屋根型容器１００の傾斜屋根部２の上面に付属容器２００を取り付けた状態で搬送される。本実施形態では、付属容器２００の横方向の断面を三角形状としている。このような、付属容器２００を前傾斜天板部２３に取り付けたとき、付属容器２００は、前面板１３よりも後方に収まっている。換言すると、収納容器Ａにおいて、付属容器２００は、切妻屋根型容器１００の前面板１３よりも前側に突出しない。
【００８４】
例えば、搬送用箱に収納容器Ａを梱包する場合、収納容器Ａを立てた状態で、前後左右に並べて梱包する。このとき、付属容器２００が前面板１３よりも突出しないため、前側に配列された収納容器Ａを上方に移動するときに後側に配列された収納容器Ａの付属容器２００が邪魔になりにくい。そのため、図１６に示すように、収納容器Ａを、後側の切妻屋根型容器１００の前面板１３と前側の切妻屋根型容器１００の背面板１１とを接触して配列することが可能である。すなわち、収納容器Ａを前後に密着させて配列させることが可能である。
【００８５】
これにより、収納容器Ａの間の隙間を削減して一定空間に収納容器Ａを梱包するときの空間効率を高めることができ、搬送の効率を高めることが可能である。また、隙間なく梱包することが可能であるため、搬送中に搬送用箱内での移動を抑制でき、収納容器Ａ自体および（または）収納物の変形、破損等を抑制することができる。
【００８６】
例えば、切妻屋根型容器１００を確認するために、配列された収納容器Ａを上方に引き抜く場合がある。付属容器２００が切妻屋根型容器１００の前面板１３よりも前方に突出しないため、収納容器Ａが密着して配列されている場合でも、作業者（購入者）が中央部の収納容器Ａを容易に引き上げることが可能である。これにより、作業者（購入者）の利便性を高めることが可能である。
【００８７】
（６．  変形例１）
本発明の変形例である収納容器Ｂについて図面を参照して説明する。図１７は、本実施形態の変形例の収納容器Ｂの切妻屋根型容器３００と付属容器４００とを分離した状態を示す斜視図である。図１８は、図１７に示す付属容器４００の後上方から見た斜視図である。図１７に示すように、付属容器４００は、接触板４１ｂに挿入口４１２が設けられている以外、付属容器２００と同じ構成を有している。そのため、付属容器４００において、付属容器２００と実質上同じ部分には、同じ符号を付すとともに同じ部分の詳細な説明は省略する。
【００８８】
図１７に示す切妻屋根型容器３００は、酒類（日本酒、ワイン、焼酎等）、飲料類（コーヒー、乳飲料、ジュース、お茶等）、調味料（醤油、ドレッシング等）および衛生用品（シャンプー、ボディーソープ等）等の液状の内容物が充填された後、密閉される、いわゆるゲーベルトップ型容器である。
【００８９】
切妻屋根型容器３００は、胴部５と、傾斜屋根部６と、底部７とを備える。胴部５は、対向する前面板５３と背面板５１の両側端を一対の側面板５２、５４により連結した筒体である。胴部５の上端部は、傾斜屋根部６によって塞がれる。また、胴部５の下端部は、底部７によって塞がれる。傾斜屋根部６は、前後に傾斜して対向する後傾斜天板部６１および前傾斜天板部６３と、後傾斜天板部６１と前傾斜天板部６３との間に左右に対向して配置されるとともに内側に折り込まれた左側面天板部６２および右側面天板部（不図示）と、後傾斜天板部６１および前傾斜天板部６３の上端部に配されて上方に延びる頂部６４と、を備える。傾斜屋根部６は、頂部６４を熱接着することで、上述のような液状の内容物が漏れないように密閉される。また、前傾斜天板部６３は、中央部から外側に突出した注出口６５を備える。
【００９０】
底部７は、図示を省略しているが、前面板５３、背面板５１、側面板５２、５４の夫々から下方に延びる底壁板部を平坦に折り曲げるとともに、熱接着することで、上述のような液状の内容物が漏れないように密閉される。
【００９１】
なお、ゲーベルトップ型容器は、従来周知の容器であり、傾斜屋根部６および底部７の構造及び製造工程の詳細については、省略する。
【００９２】
付属容器４００は、突出部である注出口６５を備えた前傾斜天板部６３の上面に取り付けられる。そのため、付属容器４００の接触板４１ｂには、中央部分に上下に延びる長孔状の挿入口４１２が備えられる（図１８参照）。付属容器４００を前傾斜天板部６３の上面に取り付けるとき、注出口６５は、挿入口４１２から付属容器４００の内部に挿入される。これにより、接触板４１ｂを前傾斜天板部６３に接触させることが可能となる。そして、係止片４５を付属容器２００と同様に、前傾斜天板部６３の裏側に挿入させることで、付属容器４００を強固に取り付けることが可能である。
【００９３】
収納容器Ｂでは、付属容器４００の内部に注出口６５が挿入される。それだけ付属容器４００の収納量が少なくなる。そこで、付属容器４００は、切妻屋根型容器３００に取り付けられたとき、前面板５３よりも前方に突出しない範囲で、前対向板４２の上部を前方に傾斜させてもよい。また、付属容器４００では、接触板４１ｂに挿入口４１２を形成するだけでもよいが、内部の収納物を収納する空間と注出口６５が挿入される空間とを隔離する隔壁部（不図示）を備えていてもよい。
【００９４】
（７．  変形例２）
本実施形態の他の変形例に含まれる付属容器５００について図面を参照して説明する。図１９は、本実施形態の他の変形例の付属容器５００の斜視図である。図１９に示すように、付属容器５００は、左側の係止片４５Ｌおよび右側の係止片４５Ｒが係止片４５と異なる以外、付属容器２００と同じ構成を有している。そのため、付属容器５００において、実質上、付属容器２００と同じ部分には、同じ符号を付すとともに、同じ部分の詳細な説明は省略する。
【００９５】
図１９に示すように、左側の係止片４５Ｌ（以下、左係止片４５Ｌと称する）には、引掛部４５４が設けられる。引掛部４５４は、第１辺４５１と第２辺４５２との間に配置され、内側に凹んだ凹部である。引掛部４５４を備えることで、前傾斜天板部２３の裏側に配置した左係止片４５Ｌを引き出すときに、使用者の指、道具等を引っ掛ける引掛け代とすることができる。このように構成することで、付属容器５００を前傾斜天板部２３に強固に取り付けることができるとともに、取外しが容易になり、それだけ、使用者の利便性を高めることができる。すなわち、引掛部４５４は、左係止片４５Ｌを取り外すときに用いられる取外部である。
【００９６】
なお、本変形例では、引掛部として、左係止片４５Ｌの辺縁部から凹んだ凹形状としているが、これに限定されず、例えば、円形、楕円形、多角形等の貫通孔形状であってもよい。使用者の指、道具等を引掛けることができる構成を広く採用できる。なお、左係止片４５Ｌの取外し易さを考慮すると、より奥に引掛部４５４が形成されていることが好ましい。
【００９７】
また、図１９に示すように、右側の係止片４５Ｒ（以下、右係止片４５Ｒと称する）のように、第２辺４５２の一部を折り線Ｌ８とする舌状片４５５を備えていてもよい。右係止片４５Ｒは、舌状片４５５を前側に折り返した状態で前傾斜天板部２３の裏側に挿入される。これにより、舌状片４５５は、右側面天板部２４と右三角折り返し部２４１との間の空間に配置される。使用者は、舌状片４５５を引き出すことで、容易に、右係止片４５Ｒを前傾斜天板部２３の裏側から引き抜くことができる。すなわち、舌状片４５５は、右係止片４５Ｒを取り外すときに用いられる取外部である。
【００９８】
これにより、付属容器５００を前傾斜天板部２３に強固に取り付けることができるとともに、取外しが容易になり、それだけ、使用者の利便性を高めることができる。なお、右係止片４５Ｒにおいて、舌状片４５５は、右係止片４５Ｒの第２辺４５２に一体的に連設されているが、これに限定されない。例えば、別途形成されたテープを右係止片４５Ｒの一部に取り付ける構成であってもよい。使用者が引っ張ることができる構成を広く採用できる。なお、右係止片４５Ｒの取外し易さを考慮すると、右係止片４５Ｒと舌状片４５５との接続部分はより奥であることが好ましい。
【００９９】
なお、本変形例の付属容器５００では、説明の便宜上、左係止片４５Ｌに引掛部４５４を備え、右係止片４５Ｒに舌状片４５５を備えている。実際の付属容器５００では、引掛部４５４または舌状片４５５のどちらか一方が形成されてもよい。また、左係止片４５Ｌおよび右係止片４５Ｒの両方に引掛部４５４または舌状片４５５を備える構成であってもよい。
【０１００】
上述した付属容器は、収納物を収納する箱体が、断面三角形状で左右方向に延びる筒状である。しかしながらこれに限定されない。例えば、断面四角形状の筒状であってもよい。箱体の断面形状としては、前面板よりも前方に突出しない形状を広く採用することが可能である。また、上述した付属容器は、前傾斜天板部に取り付けられているが、これに限定されず、後傾斜天板部に取り付けられてもよい。また、前傾斜天板部および後傾斜天板部の両方に取り付けられてもよい。
【０１０１】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【０１０２】
本発明によると、切妻屋根型容器の上部に設けられる傾斜屋根部に取り付けられて、付属品、おまけ、別添品を収納するための付属用容器として利用することが可能である。
【符号の説明】
【０１０３】
Ａ      収納容器
Ｂ      収納容器
１００      切妻屋根型容器
２００      付属容器
３００      切妻屋根型容器
４００      付属容器
５００      付属容器
１      胴部
１１      背面板
１２      左側面板
１３      前面板
１４      右側面板
１５      糊代片
１５１      第２糊代片
２      傾斜屋根部
２１      後傾斜天板部
２２      左側面天板部
２２１      左三角折り返し部
２３      前傾斜天板部
２４      右側面天板部
２４１      右三角折り返し部
２５      頂部
２５１      第１頂片
２５２      第２頂片
２５３      頂部固定片
２６      差込片
２７      傾斜谷線部
２８      頂部谷線部
３      底部
３１      後底壁板部
３１１      後底壁片
３１２      後底壁固定片
３１３      後切欠き部
３１４      斜辺
３２      左底壁板部
３２１      斜辺
３３      前底壁板部
３３１      前底壁片
３３２      前底壁固定片
３３３      前切欠き部
３３４      斜辺
３４      右底壁板部
３４１      斜辺
４      箱体
４０１      収納部
４１      接触板
４１１      固定切込み部
４１ｂ    接触板
４１２      挿入口
４２      前対向板
４３      上対向板
４４      側蓋板
４５      係止片
４５１      第１辺
４５２      第２辺
４５３      第３辺
４５Ｌ    左係止片
４５４      引掛部
４５Ｒ    右係止片
４５５      舌状片
４６      保持片
４７      固定片
４７１      切込み部
４８      把持片
４８１      固定舌部
５      胴部
５１      背面板
５２、５４  側面板
５３      前面板
６      傾斜屋根部
６１      後傾斜天板部
６２      左側面天板部
６３      前傾斜天板部
６４      頂部
６５      注出口
７      底部
９０      折り線
Ｌ１      折り線
Ｌ２      折り線
Ｌ３      折り線
Ｌ４      折り線
Ｌ５      折り線
Ｌ６      折り線
Ｌ７      折り線
Ｌ８      折り線
Ｐｇ      ブランク板
Ｐｈ      ブランク板
【図１】
2020132180.tif 000003
【図２】
2020132180.tif 000004
【図３】
2020132180.tif 000005
【図４】
2020132180.tif 000006
【図５】
2020132180.tif 000007
【図６】
2020132180.tif 000008
【図７】
2020132180.tif 000009
【図８】
2020132180.tif 000010
【図９】
2020132180.tif 000011
【図１０】
2020132180.tif 000012
【図１１】
2020132180.tif 000013
【図１２】
2020132180.tif 000014
【図１３】
2020132180.tif 000015
【図１４】
2020132180.tif 000016
【図１５】
2020132180.tif 000017
【図１６】
2020132180.tif 000018
【図１７】
2020132180.tif 000019
【図１８】
2020132180.tif 000020
【図１９】
2020132180.tif 000021